(57)【要約】      （修正有）【課題】省スペースで排熱ファンの設置や維持にかかるコストを低減すると同時に、利用者にとっての快適性を向上し得る無線ＬＡＮ機能付き自動販売機を提供する。【解決手段】ネットワークと接続する通信インターフェイスと、周囲に無線ＬＡＮ環境を構築する無線ＬＡＮアクセスポイントと、通信インターフェイスと無線ＬＡＮアクセスポイントを内蔵する筐体１と、筐体の側面（前面）１ａに備えられてコンテンツを表示する表示部２とを備えた無線ＬＡＮ機能付き自動販売機１０に関し、筐体の上面１ｂに、筐体の内蔵する通信インターフェイスや無線ＬＡＮアクセスポイントからの排熱を逃がす排熱口６を備える。ファンの設置を不要とし、ファンの作動による騒音がなく、利用者に対して排熱を含んだ空気が吹き付けることもない。【選択図】図１
0003196119.tif 000002
【実用新案登録請求の範囲】
【請求項１】
ネットワークと接続する通信インターフェイスと、
周囲に無線ＬＡＮ環境を構築する無線ＬＡＮアクセスポイントと、
前記通信インターフェイスと前記無線ＬＡＮアクセスポイントを内蔵する筐体と、
該筐体の側面に備えられてコンテンツを表示する表示部とを備え、
前記筐体の上面に、該筐体の内蔵する前記通信インターフェイスや前記無線ＬＡＮアクセスポイントからの排熱を逃がす排熱口を備えたことを特徴とする無線ＬＡＮ機能付き自動販売機。
【請求項２】
前記排熱口は、高さ１．９メートル以上の前記筐体の上面に備えられていることを特徴とする請求項１に記載の無線ＬＡＮ機能付き自動販売機。
【考案の詳細な説明】
【技術分野】
【０００１】
本考案は、無線式ローカルエリアネットワーク（無線ＬＡＮ）を構築する機能を備えて利用者のモバイル端末と通信を行う無線ＬＡＮ機能付き自動販売機に関する。
【背景技術】
【０００２】
近年、情報処理技術の進展に伴い、液晶パネルによる広告表示、電子マネーによる決済、顔識別機能など、多様な機能を備えた自動販売機が登場してきており、こうした自動販売機の中には、無線式ローカルエリアネットワーク（無線ＬＡＮ）を構築する機能を備えたものがある。
【０００３】
例えば、飲料の自動販売機の周囲を無線ＬＡＮスポットとしてインターネット接続サービスを提供し、モバイル端末の利用者を集めて飲料への需要を促すいわば客寄せの効果を狙う場合もあるし、利用者に対し観光情報など特定の情報を提供する一種のフリーペーパースタンドとしての役割を持たせる場合もある。また、保険等の無形商品を販売する自動販売機においては、モバイル端末を特定のウェブサイトにリダイレクトさせて該ウェブサイト内で商品の内容説明や契約手続きを行うなど、その目的や形態は様々である。
【０００４】
この種の無線ＬＡＮ機能付き自動販売機に関する一般的技術水準を示す文献としては、例えば、下記特許文献１がある。
【先行技術文献】
【特許文献】
【０００５】
【特許文献１】特開２００９−１５７６５８号公報
【考案の概要】
【考案が解決しようとする課題】
【０００６】
こういった自動販売機においては、内部の機器から排出される熱が筐体内に籠もることによる機器類への悪影響を防ぐため、側面（左右側面や背面）の一部に通気口を設け、ファンによる送風とあわせて内部の熱を排出するようにしてあることが一般的である。しかしながら、筐体内には、無線ＬＡＮ環境のための通信機器やモニタの表示装置など、各種機器が配置されており、それに加えて排熱用のファンを設置しようとすると、筐体全体を大型化せざるを得ない。また、ファンそのものの設置コストや電気代、メンテナンスコストの問題もある。利用者の側から見ても、ファンの立てる騒音は好ましくなく、また通気口の設置位置によっては排熱を含んだ空気が利用者に対して吹き付けることもあり、これも好ましいものではない。こういった理由から、無線ＬＡＮ機能付き自動販売機の排熱の仕組みに関して改善が望まれていた。
【０００７】
本考案は、斯かる実情に鑑み、省スペースで設置や維持にかかるコストを低減すると同時に、利用者にとっての快適性を向上し得る無線ＬＡＮ機能付き自動販売機を提供しようとするものである。
【課題を解決するための手段】
【０００８】
本考案は、ネットワークと接続する通信インターフェイスと、周囲に無線ＬＡＮ環境を構築する無線ＬＡＮアクセスポイントと、前記通信インターフェイスと前記無線ＬＡＮアクセスポイントを内蔵する筐体と、該筐体の側面に備えられてコンテンツを表示する表示部とを備え、前記筐体の上面に、該筐体の内蔵する前記通信インターフェイスや前記無線ＬＡＮアクセスポイントからの排熱を逃がす排熱口を備えたことを特徴とする無線ＬＡＮ機能付き自動販売機にかかるものである。
【０００９】
而して、このようにすれば、ファンの設置を不要とし、該ファンの設置コストや維持コストを削減できるとともに、筐体を小型化でき、ファンの作動による騒音がなく、利用者に対して排熱を含んだ空気が吹き付けることもない。
【００１０】
また、本考案の無線ＬＡＮ機能付き自動販売機によれば、前記排熱口は、高さ１．９メートル以上の前記筐体の上面に備えられているので、排熱口が利用者に視認されず、筐体のデザイン性を損なうことがない。
【考案の効果】
【００１１】
本考案の無線ＬＡＮ機能付き自動販売機によれば、設置や維持にかかるコストを低減すると同時に、利用者にとっての快適性を向上し得るという優れた効果を奏し得る。
【図面の簡単な説明】
【００１２】
【図１】本考案の実施による無線ＬＡＮ機能付き自動販売機を示す図であり、（ａ）は正面図、（ｂ）は平面図である。
【図２】本考案の実施による無線ＬＡＮ機能付き自動販売機の機能を示すブロック図である。
【図３】本考案の実施による無線ＬＡＮ機能付き自動販売機の別の形態を示す図であり、（ａ）は正面図、（ｂ）は平面図である。
【考案を実施するための形態】
【００１３】
以下、本考案の実施の形態を添付図面を参照して説明する。
【００１４】
図１、図２は本考案の実施による無線ＬＡＮ機能付き自動販売機の形態の一例（第一実施例）を示すものである。本第一実施例の無線ＬＡＮ機能付き自動販売機１０は、図１に示す如く、略直方体形状をした筐体１の前面（正面にあたる側面）１ａに、各種のコンテンツを表示する表示部２を備えている。筐体１は、１．９メートル以上の高さを有する縦長形状で、高さの上限は設置場所の天井未満である。本第一実施例の場合、筐体１の高さは２．１メートルである。筐体１の内部には、図２に示す各種の機器類、すなわち無線ＬＡＮの基地として機能する無線ＬＡＮアクセスポイント３、外部のネットワーク２０に接続する通信インターフェイス４、ＣＰＵとメモリと記憶部を有して表示部２や無線ＬＡＮアクセスポイント３を制御する制御装置５等を備えている。
【００１５】
表示部２は液晶ディスプレイであり、制御装置５の表示制御部５２により所定の表示を行うよう制御される。制御装置５は、外部の管理端末２１からネットワーク２０を通じ、通信インターフェイス４を介して操作されるようになっており、管理端末２１を使って表示部２における表示内容をリモート管理することができる。
【００１６】
無線ＬＡＮアクセスポイント３は、外部のモバイル端末２２との間で無線ＬＡＮ接続を行うようになっている。無線ＬＡＮアクセスポイント３は、制御装置５の通信制御部５３によって制御される。通信制御部５３はリダイレクト機能を備えており、無線ＬＡＮアクセスポイント３に無線接続した利用者のモバイル端末２２を、外部のサーバ２３上にあるウェブサイト２４へ強制的に接続するようになっている。このウェブサイト２４は、無線ＬＡＮ機能付き自動販売機１０の販売商品である保険の加入契約を結ぶためのものである。
【００１７】
筐体１の上面１ｂには、図１（ｂ）に示す如く、筐体１の内蔵機器類から発生した熱を逃がすための排熱口６が備えられている。本第一実施例において、排熱口６は筐体１の内外を連通する複数のスリットとして形成されている。
【００１８】
上記した本第一実施例の作動を、図１、図２を参照しながら説明する。
【００１９】
無線ＬＡＮ機能付き自動販売機１０は、例えば空港等の搭乗口付近に設置され、海外旅行に出発前の利用者に対し損害保険等の販売を自動で行うものである。そのため、筐体１の表面各所には、利用者に販売商品をアピールするよう、販売会社のロゴマークや商品の名称等がプリントされている。さらに、表示部２には、保険加入の必要性を喚起する画像や、商品内容の説明など販売商品の関連情報、保険の契約はモバイル端末２２の操作のみで行える旨の説明、また、利用に際したモバイル端末２２の操作説明など、各種の情報が文字情報や静止画、動画等のコンテンツとして表示されるようになっており、例えば、文字を含む複数の画像が、一定時間ごとに別の画像に順番に入れ替わるようにして表示される。これにより、表示部２を備えた筐体１自体が、広告塔ないしはデジタルサイネージ（電子看板）として機能するようになっている。表示されるコンテンツの内容や、各コンテンツの表示時間等は、外部の管理端末２１からネットワーク２０を通じ、制御装置５の表示制御部５２によってリモート管理される（図２参照）。
【００２０】
筐体１ないし表示部２に表示されたコンテンツを目にした利用者は、表示部２に表示されるモバイル端末２２の操作説明を参照し、保険の加入契約を行うべく、モバイル端末２２の接続設定を行い、ウェブブラウザを起動する。
【００２１】
筐体１の周囲（半径２０〜３０メートル程度まで）には、無線ＬＡＮアクセスポイント３を中心に無料の無線ＬＡＮスポットが形成されており、利用者のモバイル端末２２に無線ＬＡＮアクセスポイント３の名称が表示される。利用者が接続先として無線ＬＡＮアクセスポイント３を選択し、無線ＬＡＮに接続すると、制御装置５の通信制御部５３のリダイレクト機能により、利用者のモバイル端末２２はサーバ２３上のウェブサイト２４へ強制的に接続され、ウェブブラウザにウェブサイト２４が表示される。
【００２２】
利用者は、表示部２やウェブサイト２４に表示される契約内容や契約手順の説明を参照し、ウェブサイト２４内の誘導に従って保険加入の手続きを進める。手続きに伴い、モバイル端末２２とサーバ２３との間では無線ＬＡＮアクセスポイント３、通信インターフェイス４を介し、ネットワーク２０を通じて情報の通信がなされ、加入の申込状況や利用者の個人情報、クレジットカード情報等の販売データがサーバ２３に随時送信され、モバイル端末２２に対しても申込状況や申込結果の確認情報等が即時送信される。このようにリアルタイムで情報通信を行うシステムでは、一日ごとに販売データを蓄積し、前日のデータを手動で送信・記録していく方式の従来の保険の自動販売機と比較して、契約時における書類の不備への事後対応が不要になり、事故時の対応も契約直後から可能になり、さらに契約後における契約内容の変更も利用者自身で可能になるなど、さまざまな利点がある。
【００２３】
尚、表示部２でのコンテンツ表示に加え、筐体１の付近に販売商品の内容説明やモバイル端末２２の操作説明等を記載したリーフレットやガイドブックを備えるようにしても良い。このようにすれば、一定時間ごとに変更される表示部２の情報のみに頼ることなく、利用者がモバイル端末２２の設定や操作を行うことができる。
【００２４】
このような無線ＬＡＮ機能付き自動販売機１０においては、筐体１に備えた表示部２、無線ＬＡＮアクセスポイント３、通信インターフェイス４、制御装置５といった各種機器からの熱が筐体１内に排出される。排熱が筐体１内に籠もり、筐体１内の温度が過剰に上昇すると、精密機器である上記各機器類に対して悪影響を及ぼす可能性があるため、機器からの排熱は筐体１から適宜排出する必要がある。
【００２５】
ここで、一般的な自動販売機においては、筐体の左右側面や背面に排熱口が備えられ、ファンによって送気することで排熱を含んだ空気を前記排熱口から排出するようにしている。しかし、本第一実施例の無線ＬＡＮ機能付き自動販売機１０においては、上述の通り、筐体１の上面１ｂに排熱口６が設置されている（図１（ｂ）参照）。このため、熱を含んで軽くなった空気は筐体１内を上昇し、排熱口６から自然と出て行くことになり、排気のためのファンを別途必要とすることなく、機器類の排熱を効率良く筐体１の外に逃がすことができる。
【００２６】
このようにファンの設置を不要としたことにより、本第一実施例の無線ＬＡＮ機能付き自動販売機１０では、ファンの設置自体にかかるコストのほか、電気代やメンテナンスのコストを削減することができる。また、筐体１内にファンを内蔵する必要がないので、筐体１全体を小型化でき、狭いスペースにも設置できるよう構成することができる。
【００２７】
また、上記したように、筐体１は表示部２とともに利用者の目を惹くためのデジタルサイネージ（電子看板）としても機能する。その際、利用者に視認され得る前面１ａやその両側の側面に排熱口が設けられていると、該排熱口が利用者の目についてしまうが、本第一実施例の無線ＬＡＮ機能付き自動販売機１０では、高さが１．９メートル以上（２．１メートル）の筐体１の上面に排熱口６が設けられており、通常、利用者からは見えないようになっている。これにより、排熱口６の構成が筐体１のデザインに影響を与えることがなく、利用者に対してよりアピールし得るデザインの筐体１とすることができる。筐体１はファンを内蔵しないために内部のレイアウトの自由度も高く、筐体１自体の形状をよりデザイン性の高いものとすることも可能である。
【００２８】
無線ＬＡＮ機能付き自動販売機１０を利用するにあたっても、ファンの作動に伴う騒音がなく静かであり、しかも、排熱は上面１ｂにある排熱口６から逃げるため、筐体１に近寄って上記手続きを行っている間も排熱を含んだ熱い空気が利用者に対して吹き付けることがなく、快適である。
【００２９】
このように、上記本第一実施例においては、ネットワークと接続する通信インターフェイス４と、周囲に無線ＬＡＮ環境を構築する無線ＬＡＮアクセスポイント３と、前記通信インターフェイス４と前記無線ＬＡＮアクセスポイント３を内蔵する筐体１と、該筐体１の側面（前面）１ａに備えられてコンテンツを表示する表示部２とを備え、筐体１の上面１ｂに、該筐体１の内蔵する通信インターフェイス４や無線ＬＡＮアクセスポイント３からの排熱を逃がす排熱口６を備えているので、ファンの設置を不要とし、該ファンの設置コストや維持コストを削減できるとともに、筐体を小型化でき、ファンの作動による騒音がなく、利用者に対して排熱を含んだ空気が吹き付けることもない。
【００３０】
また、上記本第一実施例においては、排熱口６は、高さ１．９メートル以上（２．１メートル）の筐体１の上面１ｂに備えられているので、排熱口６が利用者に視認されず、筐体１のデザイン性を損なうことがない。
【００３１】
したがって、上記本第一実施例の無線ＬＡＮ機能付き自動販売機１０によれば、省スペースで設置や維持にかかるコストを低減すると同時に、利用者にとっての快適性を向上し得る。
【００３２】
図３は、上記第一実施例とは別の本考案の実施による無線ＬＡＮ機能付き自動販売機（第二実施例）を示す図である。本第二実施例の無線ＬＡＮ機能付き自動販売機１００の場合、略三角柱形状の筐体１０１の各側面１０１ａに、各々１つ、合計３つの表示部１０２を備えた三面タイプのものとして構成されている。筐体１０１の高さは上記第一実施例と同じく２．１メートルであり、上面１０１ｂには、排熱口１０６が備えられている。
【００３３】
本第二実施例のような三面タイプの筐体１０１とした場合、近くに壁などのない場所に設置し、３つの側面１０１ａに備えられた表示部１０２を全方向から視認可能にすることができるが、この場合にも、筐体１０１の上面１０１ｂに排熱口１０６を備えているので、排熱口１０６の構成がデザイン性に影響を与えることがない。例えばいずれかの側面１０１ａに排熱口１０６を設けた場合には、排熱口１０６を設けた側面１０１ａが排熱口１０６を設けていない他の側面１０１ａと異なる見た目となってしまうが、本考案のように排熱口１０６を上面１０１ｂに設ければ、側面１０１ａへのデザイン的な影響がなく、全方向に関して同一の洗練されたデザインとすることができる。
【００３４】
また、本第二実施例のような三面タイプの無線ＬＡＮ機能付き１００の場合、背面が存在せず、３つの側面１０１ａのいずれもが利用者にとって前面となるが、側面１０１ａのいずれかに排熱口１０６が設けられていた場合、その前に立った利用者に対して排熱を含んだ空気が当たってしまうことになる。本考案のように排熱口１０６を筐体１０１の上面１０１ｂに設けていれば、こうした三面タイプの無線ＬＡＮ機能付き１００においても、利用者に排熱が吹き付ける心配はない。
【００３５】
その他、本第二実施例の基本的な構成、機能および作用については、上記第一実施例と同様であるため省略するが、本第二実施例の無線ＬＡＮ機能付き自動販売機１００によっても、省スペースで設置や維持にかかるコストを低減すると同時に、利用者にとっての快適性を向上し得る。
【００３６】
尚、本考案の無線ＬＡＮ機能付き自動販売機は、上述の実施例にのみ限定されるものではなく、本考案の要旨を逸脱しない範囲内において種々変更を加え得ることは勿論である。
【符号の説明】
【００３７】
１    筐体
１ａ  前面（側面）
１ｂ  上面
２    表示部
３    無線ＬＡＮアクセスポイント
４    通信インターフェイス
６    排熱口
１０    無線ＬＡＮ機能付き自動販売機
２０    ネットワーク
１００    無線ＬＡＮ機能付き自動販売機
１０１    筐体
１０１ａ  側面
１０１ｂ  上面
１０２    表示部
１０６    排熱口
【図１】
0003196119.tif 000003
【図２】
0003196119.tif 000004
【図３】
0003196119.tif 000005